(57)【要約】【課題】イリジウム治療等により体内に埋め込まれた線源による画質の劣化を最小限に食い止め、鮮明なＸ線透視画像を得ることができるＸ線画像システムを提供する。【解決手段】Ｘ線を断続的に被験者６に照射し、被験者６を透過したＸ線を可視光に変換し、その可視光から一定周期で一画面を形成するための画像信号を撮像手段１２により生成し、その画像信号により形成される画像を表示する。その撮像手段１２への可視光の入射をＸ線の照射期間以外は阻止する。【選択図】図１
2004254813.tif 000002
【特許請求の範囲】
【請求項１】
Ｘ線を断続的に被験者に照射可能な手段と、
被験者を透過したＸ線を可視光に変換する手段と、
前記可視光から一定周期で一画面を形成するための画像信号を生成する撮像手段と、
前記画像信号により形成される画像を表示する手段と、
前記撮像手段への前記可視光の入射をＸ線の照射期間以外は阻止する手段とを備えるＸ線画像システム。
【請求項２】
Ｘ線の照射タイミングの制御手段と、
前記撮像手段に入射する可視光の光量調節用絞りとを備え、
前記制御手段により、Ｘ線の照射期間以外は前記絞りが全閉となるように前記光量調節用絞りが制御される請求項１に記載のＸ線画像システム。
【請求項３】
Ｘ線の照射タイミングの制御手段を備え、
被験者を透過したＸ線を可視光に変換する手段としてイメージインテンシファイアが用いられ、
前記制御手段により、Ｘ線の照射期間以外はＸ線の可視光への変換が阻止されるように前記イメージインテンシファイアが制御される請求項１に記載のＸ線画像システム。
【発明の詳細な説明】
【０００１】
【発明の属する技術分野】
本発明はＸ線透視撮影画像を生成するＸ線画像システムに関する。
【０００２】
【従来の技術】
従来、Ｘ線画像システムを用いてパルス透視法によりＸ線透視撮影を行う場合、Ｘ線を断続的に被験者に照射し、被験者を透過したＸ線をイメージインテンシファイアにより可視光に変換し、その可視光の光量をアイリス絞りにより調節し、その光量調節された可視光をＴＶカメラに導くことで一定周期で一画面を形成するための画像信号を生成し、その画像信号により形成される画像をモニターにより表示している。
【０００３】
【発明が解決しようとする課題】
従来のＸ線画像システムを用い、例えばイリジウム治療のために体内に線源を埋め込まれた被験者のＸ線透視撮影をパルス透視法により行った場合、透視画像の画質が劣化して鮮明な画像を得ることができないという問題があった。
本発明は上記問題を解決することのできるＸ線画像システムを提供することを目的とする。
【０００４】
【課題を解決するための手段】
本発明のＸ線画像システムは、Ｘ線を断続的に被験者に照射可能な手段と、被験者を透過したＸ線を可視光に変換する手段と、前記可視光から一定周期で一画面を形成するための画像信号を生成する撮像手段と、前記画像信号により形成される画像を表示する手段と、前記撮像手段への前記可視光の入射をＸ線の照射期間以外は阻止する手段とを備える。
本発明は、従来のＸ線画像システムを用いた場合の画質劣化の原因が、Ｘ線が照射されていない期間に被験者の体内の線源からの放射線による可視光が撮像手段に入射されることに起因することに着目し、その撮像手段への可視光の入射をＸ線の照射期間以外は阻止することを想到したことに基づくものである。これにより、Ｘ線による透視撮影により生じる可視光以外の可視光が撮像手段に入射することはなく、Ｘ線透視画像の画質の劣化を抑制できる。
【０００５】
本発明のＸ線画像システムにおいては、Ｘ線の照射タイミングの制御手段と、前記撮像手段に入射する可視光の光量調節用絞りとを備え、前記制御手段により、Ｘ線の照射期間以外は前記絞りが全閉となるように前記光量調節用絞りが制御されるのが好ましい。あるいは、Ｘ線の照射タイミングの制御手段を備え、被験者を透過したＸ線を可視光に変換する手段としてイメージインテンシファイアが用いられ、前記制御手段により、Ｘ線の照射期間以外はＸ線の可視光への変換が阻止されるように前記イメージインテンシファイアが制御されるのが好ましい。
これにより、撮像手段への可視光の入射の阻止を、Ｘ線の照射タイミングの制御手段と、可視光の光量調節用絞りあるいはイメージインテンシファイアを利用して行うことができるので、構成が複雑化することはない。
【０００６】
【発明の実施の形態】
図１に示す第１実施形態のＸ線画像システムＳは、Ｘ線高電圧発生装置１によりＸ線管２に電圧を印加することでＸ線を発生し、そのＸ線をコリメータ絞り４を介して透視撮影台３上の被験者６に照射する。Ｘ線高電圧発生装置１は制御装置１ａを含み、Ｘ線の照射タイミングを制御することで、パルス透視のために予め設定したタイミングでＸ線を断続的に被験者６に照射することを可能にする。なお、図中符号５は視準用のコリメータランプである。被験者６を透過したＸ線はイメージインテンシファイア７に導かれる。イメージインテンシファイア７は、入射されたＸ線を光電変換することで電子ビームを生成し、その電子ビームを増幅後に電光変換素子により可視光に変換する。その可視光は光学系８を介してＴＶカメラ１２（撮像手段）に入射される。光学系８は、一次レンズ１０、絞り量の調整機構を含むアイリス９（光量調節用絞り）、および２次レンズ１１により構成され、カメラ１２に入射される可視光により表される画像が適切なサイズになるように可視光の光路を変換する。制御装置１ａは、カメラ１２に入射する可視光が適切な光量になるようにアイリス９を制御して絞り量を調節する。カメラ１２はカメラコントロールユニット１２ａを有し、入射される可視光から一定周期（例えば３３ｍｓｅｃ周期）で一画面を形成するための画像信号を生成し、その画像信号をモニター１４に送信する。これによりモニター１４は画像信号により形成されるＸ線透視画像を表示する。
【０００７】
上記Ｘ線画像システムＳにおいて、例えばイリジウム治療を受けている被験者６の体内における線源の埋め込み部位の透視撮影をパルス透視法により行う場合、制御装置１ａはＸ線の照射期間以外は絞りが全閉となるようにアイリス９を制御する。アイリス９の絞りが全閉となることでカメラ１２への可視光の入射がＸ線の照射期間以外は阻止される。これにより、カメラ１２はＸ線が発生されている期間だけ光学系８から出射される光を画像信号に変換し、その画像信号に基づきＸ線透視画像が形成される。よって、Ｘ線による透視撮影により生じる可視光以外の可視光がカメラ１２に入射することはなく、Ｘ線透視画像の画質の劣化を抑制できる。
【０００８】
図２の（１）は、パルス透視により断続的に発生するＸ線による透視撮影を行うことで生成されるＸ線由来の可視光の光量と時間との関係一例を示す。図２の（２）は、Ｘ線の発生以外の原因に基づき、例えば被験者６の体内における線源からの放射線に基づき生成されるＸ線由来以外の可視光の光量と時間との関係一例を示す。図２の（３）は、Ｘ線が発生されていない期間もアイリス９の絞りを開いた場合において、カメラ１２がモニター１４に送る画像信号により一定周期で形成される一画面におけるＸ線由来の可視光の光量を実線で、Ｘ線由来以外の可視光の光量を破線で示すヒストグラムである。図２の（４）は、Ｘ線が発生されていない期間はアイリス９の絞りを全閉とした場合において、カメラ１２がモニター１４に送る画像信号により一定周期で形成される一画面におけるＸ線由来の可視光の光量を実線で、Ｘ線由来以外の可視光の光量を破線で示すヒストグラムである。すなわち、一定周期で形成される各画面において、Ｘ線が発生されていない期間はアイリス９の絞りを全閉とすることで、画像表示光の全光量に対するＸ線由来以外の可視光の光量の比率を低下させることができ、鮮明なＸ線透視画像を得ることができる。
【０００９】
図３は本発明の第２実施形態を示す。第１実施形態との相違は、Ｘ線の照射期間以外は制御装置１ａによりアイリス９を全閉とすることに代えて、制御装置１ａによりイメージインテンシファイア７を制御することでＸ線の照射期間以外はＸ線の可視光への変換を阻止する。すなわち、制御装置１ａはＸ線の照射期間以外はブランキングユニット７ａにブランキング信号を送る。ブランキングユニット７ａは、ブランキング信号が送られることでイメージインテンシファイア７における電光変換素子に向かう電子ビームをカットする。これにより、Ｘ線の照射期間以外はカメラ１２への可視光の入射が阻止され、カメラ１２はＸ線が発生されている期間だけ光学系８から出射される光を画像信号に変換し、その画像信号に基づきＸ線透視画像が形成される。よって、第１実施形態と同様に、Ｘ線による透視撮影により生じる可視光以外の可視光がカメラ１２に入射することはなく、Ｘ線透視画像の画質の劣化を抑制できる。
【００１０】
本発明は上記実施形態に限定されない。例えば、イリジウム以外の線源を埋め込まれた被験者６のＸ線透視撮影にも本発明のＸ線画像システムを利用できる。
【００１１】
【発明の効果】
本発明のＸ線画像システムによれば、イリジウム治療等により体内に埋め込まれた線源による画質の劣化を最小限に食い止め、鮮明なＸ線透視画像を得ることができる。
【図面の簡単な説明】
【図１】本発明の第１実施形態のＸ線画像システムの構成説明図
【図２】（１）〜（４）は本発明の実施形態のＸ線画像システムの作用説明図
【図３】本発明の第２実施形態のＸ線画像システムの構成説明図
【符号の説明】
Ｓ  Ｘ線画像システム
１  Ｘ線高電圧発生装置
１ａ  制御装置
２  Ｘ線管
６  被験者
７  イメージインテンシファイア
９  アイリス
１２  カメラ
１４  モニター
【図１】
2004254813.tif 000003
【図２】
2004254813.tif 000004
【図３】
2004254813.tif 000005